(57)【要約】【課題】  本発明は、デジタルカメラ，ビデオカメラ等の撮像装置に関し、装置の本体部に閃光発光部をコンパクトに収容することを目的とする。【解決手段】  本体部と、撮影光学系を備えた撮影レンズ部と、前記撮影レンズ部に対する向きを変更可能な表示部と、前記撮影レンズ部を中心にして回動可能に支持される閃光発光部と、前記本体部に設けられ前記閃光発光部を収容可能な収容部とを有することを特徴とする。【選択図】      図１
2005086259.tif 000002
【特許請求の範囲】
【請求項１】
本体部と、
撮影光学系を備えた撮影レンズ部と、
前記撮影レンズ部に対する向きを変更可能な表示部と、
前記撮影レンズ部を中心にして回動可能に支持される閃光発光部と、
前記本体部に設けられ前記閃光発光部を収容可能な収容部と、
を有することを特徴とする撮像装置。
【請求項２】
請求項１記載の撮像装置において、
前記本体部に、前記表示部が配置され、
前記本体部に回動可能に取り付けられた撮影部本体に、前記撮影レンズ部および前記閃光発光部が配置されていることを特徴とする撮像装置。
【請求項３】
請求項１記載の撮像装置において、
前記本体部に、前記撮影レンズ部が配置され、前記本体部に前記表示部が回動可能に配置されていることを特徴とする撮像装置。
【請求項４】
請求項１記載の撮像装置において、
前記表示部は回動部を介して前記本体部に対して回動可能に配置され、
前記撮影レンズ部は前記本体部の前記回動部近傍に配置され、
前記回動部の回動軸と前記撮影レンズ部の光軸とが略平行であることを特徴とする撮像装置。
【請求項５】
請求項１ないし請求項４のいずれか１項記載の撮像装置において、
前記閃光発光部は、前記撮影レンズ部の外周に沿って回動可能に支持されていることを特徴とする撮像装置。
【請求項６】
請求項１ないし請求項５のいずれか１項記載の撮像装置において、
前記閃光発光部は、前記撮影レンズ部の前記撮影光学系の光軸に略平行な軸線を中心にして回動可能に支持されていることを特徴とする撮像装置。
【請求項７】
請求項１ないし請求項６のいずれか１項記載の撮像装置において、
前記本体部は、略直方体形状をしており、前記本体部の角部に前記収容部が形成されていることを特徴とする撮像装置。
【発明の詳細な説明】
【技術分野】
【０００１】
本発明は、デジタルカメラ，ビデオカメラ等の撮像装置に関する。
【背景技術】
【０００２】
近時、デジタルカメラ，ビデオカメラ等の撮像装置では、例えば、特開平１１−２５８６６３号公報に開示されるように、撮影レンズおよび撮像素子の配置される撮影レンズ部をカメラ本体に対して回動可能に構成し、カメラ本体に配置される表示部の画面を見ながら撮像者自身あるいは撮影者の後方の景色等を撮影可能なものが開発されている。
【特許文献１】特開平１１−２５８６６３号公報
【発明の開示】
【発明が解決しようとする課題】
【０００３】
しかしながら、このような撮像装置では、撮影レンズ部に閃光発光部を設けると、閃光発光部が撮影レンズ部から突出し、閃光発光部が邪魔になるという問題があった。
本発明は、かかる従来の問題点を解決するためになされたもので、装置の本体部に閃光発光部をコンパクトに収容することができる撮像装置を提供することを目的とする。
【課題を解決するための手段】
【０００４】
請求項１の撮像装置は、本体部と、撮影光学系を備えた撮影レンズ部と、前記撮影レンズ部に対する向きを変更可能な表示部と、前記撮影レンズ部を中心にして回動可能に支持される閃光発光部と、前記本体部に設けられ前記閃光発光部を収容可能な収容部とを有することを特徴とする。
請求項２の撮像装置は、請求項１記載の撮像装置において、前記本体部に、前記表示部が配置され、前記本体部に回動可能に取り付けられた撮影部本体に、前記撮影レンズ部および前記閃光発光部が配置されていることを特徴とする。
【０００５】
請求項３の撮像装置は、請求項１記載の撮像装置において、前記本体部に、前記撮影レンズ部が配置され、前記本体部に前記表示部が回動可能に配置されていることを特徴とする。
請求項４の撮像装置は、請求項１記載の撮像装置において、前記表示部は回動部を介して前記本体部に対して回動可能に配置され、前記撮影レンズ部は前記本体部の前記回動部近傍に配置され、前記回動部の回動軸と前記撮影レンズ部の光軸とが略平行であることを特徴とする。
【０００６】
請求項５の撮像装置は、請求項１ないし請求項４のいずれか１項記載の撮像装置において、前記閃光発光部は、前記撮影レンズ部の外周に沿って回動可能に支持されていることを特徴とする。
請求項６の撮像装置は、請求項１ないし請求項５のいずれか１項記載の撮像装置において、前記閃光発光部は、前記撮影レンズ部の前記撮影光学系の光軸に略平行な軸線を中心にして回動可能に支持されていることを特徴とする。
【０００７】
請求項７の撮像装置は、請求項１ないし請求項６のいずれか１項記載の撮像装置において、前記本体部は、略直方体形状をしており、前記本体部の角部に前記収容部が形成されていることを特徴とする。
【発明の効果】
【０００８】
本発明の撮像装置では、閃光発光部を撮影レンズ部を中心にして回動可能に支持し、本体部に設けられた収容部に収容するようにしたので、装置の本体部に閃光発光部をコンパクトに収容することができる。
【発明を実施するための最良の形態】
【０００９】
以下、本発明の実施形態を図面を用いて詳細に説明する。
（第１の実施形態）
図１は、本発明の撮像装置の第１の実施形態を示している。
この実施形態では、本発明がデジタルカメラに適用される。
このデジタルカメラは、本体部１１と撮影部本体１３とを備えている。
【００１０】
本体部１１は、略直方体形状をしている。本体部１１の前面には、その中央上部に表示部１５が配置されている。この表示部１５は、例えば、ＬＣＤからなる。
また、本体部１１の前面には、表示部１５を操作する操作ボタン１７、スピーカ１９、表示メニューを操作する操作ボタン２１、ズーム用の操作ボタン２３、電源スイッチ２５等が配置されている。
【００１１】
撮影部本体１３は、撮影レンズ部２７および閃光発光部２９を備えている。
撮影レンズ部２７には、レンズ３１，３３等を備えた撮影光学系３５が配置されている。撮影光学系３５の焦点位置には、例えば、ＣＣＤ素子からなる撮像素子３７が配置されている。この撮像素子３７に受光された被写体像は、表示部１５に表示可能とされている。撮像素子３７の撮影光学系３５と反対側には閃光発光部２９を発光するためのコンデンサ３９が配置されている。
【００１２】
この実施形態では、撮影部本体１３は、本体部１１に回動可能に取り付けられている。すなわち、本体部１１の上面の中央には、支持軸４１が固定されている。そして、この支持軸４１に撮影部本体１３の下面の中央が、水平方向に回動可能に支持されている。
また、撮影部本体１３のレンズ３１側には、閃光発光部２９が配置されている。この閃光発光部２９は、本体部１１の角部に形成される収容部４３に収容されている。収容部４３は、略直方体形状に形成されている。
【００１３】
この実施形態では、閃光発光部２９は、撮影レンズ部２７を中心にして回動可能に支持されている。すなわち、撮影レンズ部２７のレンズ３１側は、円筒状に形成され、この円筒部４５が閃光発光部２９の取付部４７に挿入されている。そして、閃光発光部２９は、円筒部４５の外周に沿って回動可能に支持されている。
上述したデジタルカメラでは、通常の撮影時には、撮影部本体１３を、本体部１１の上面に配置される支持軸４１を中心にして水平方向に回動し、撮影レンズ部２７のレンズ３１側を、人物，風景等の被写体に向け、表示部１５に表示される画像を見ながら撮影が行われる。
【００１４】
一方、撮影者自身を撮影する時には、図２および図３に示すように、撮影部本体１３を、本体部１１の上面に配置される支持軸４１を中心にして水平方向に回動し、撮影レンズ部２７のレンズ３１側を、撮影者に向け、表示部１５に表示される画像を見ながら撮影が行われる。
そして、この時には、図２および図３に示すように、撮影レンズ部２７を中心にして閃光発光部２９が、本体部１１と反対側に回動される。これにより、本体部１１の表示部１５が閃光発光部２９により隠されることがなくなり、表示部１５を撮影者が確実に見ることが可能になる。
【００１５】
上述したデジタルカメラでは、本体部１１の角部に閃光発光部２９を収容する収容部４３を形成したので、閃光発光部２９をコンパクトに収容することができる。
また、上述したデジタルカメラでは、閃光発光部２９を撮影レンズ部２７を中心にして回動可能にしたので、閃光発光部２９を本体部１１と反対側に回動することにより、本体部１１の表示部１５が閃光発光部２９により隠されることを確実に回避することができる。
（第２の実施形態）
図４および図５は、本発明の撮像装置の第２の実施形態を示している。
【００１６】
なお、この実施形態において第１の実施形態と同一の部材には、同一の符号を付して詳細な説明を省略する。
この実施形態では、閃光発光部２９Ａが、支持部４９と発光部５１とに分割されている。
支持部４９は、第１の実施形態と同様に撮影レンズ部２７を中心にして回動可能に支持されている。そして、支持部４９の上面に発光部５１が水平方向に回動可能に配置されている。
【００１７】
すなわち、図５に示すように、支持部４９の上面の中央には、支持軸５３が固定されている。そして、この支持軸５３に発光部５１の下面の中央が、水平方向に回動可能に支持されている。
この実施形態のデジタルカメラにおいても第１の実施形態と同様の効果を得ることができるが、この実施形態では、発光部５１を、支持部４９の上面に回動可能に配置したので、バウンス撮影を容易に行うことができる。
（第３の実施形態）
図６は、本発明の撮像装置の第３の実施形態を示している。
【００１８】
この実施形態では、本発明がビデオカメラに適用される。
このビデオカメラでは、本体部１１Ａに撮影レンズ部２７Ａが配置され、また、本体部１１Ａに表示部１５Ａが回動可能に配置されている。
撮影レンズ部２７Ａには、閃光発光部２９Ａが回動可能に配置されている。すなわち、撮影レンズ部２７Ａのレンズ３１側は、円筒状に形成され、この円筒部が閃光発光部２９Ａの取付部４７Ａに挿入されている。そして、閃光発光部２９Ａは、円筒部の外周に沿って回動可能に支持されている。
【００１９】
この閃光発光部２９Ａは、本体部１１Ａに形成される収容部４３Ａに収容されている。
表示部１５Ａは、本体部１１Ａに回動可能に配置されている。すなわち、表示部１５Ａは、ユニバーサルジョイント５５を介して本体部１１Ａに連結されている。そして、ユニバーサルジョイント５５により矢符Ａで示す水平方向（図７に示す）に回動可能とされている。また、ユニバーサルジョイント５５を中心にして、矢符Ｂで示す方向（図７に示す）に回動可能とされている。そして、図６に示す状態では、表示部１５Ａの本体部１１Ａ側に表示面１５ａが位置されている。
【００２０】
このビデオカメラでは、通常の撮影時には、図７に示すように、撮影レンズ部２７Ａを中心にして閃光発光部２９Ａを上側に回動し、表示部１５Ａを水平方向に開いて、撮影レンズ部２７Ａのレンズ３１側を、人物，風景等の被写体に向け、表示部１５Ａの表示面１５ａに表示される画像を見ながら撮影が行われる。
一方、撮影者自身を撮影する時には、図８に示すように、図７に示す状態から、表示部１５Ａをユニバーサルジョイント５５を中心にして矢符Ｂ方向に回動し、撮影レンズ部２７Ａのレンズ３１側を、撮影者に向け、表示部１５Ａの表示面１５ａに表示される画像を見ながら撮影が行われる。
【００２１】
そして、この時には、閃光発光部２９Ａが撮影レンズ部２７Ａの上側に位置するため、表示部１５Ａが閃光発光部２９Ａにより隠されることはない。
上述したビデオカメラでは、本体部１１Ａに閃光発光部２９Ａを収容する収容部４３Ａを形成したので、閃光発光部２９Ａをコンパクトに収容することができる。
また、上述したビデオカメラでは、閃光発光部２９Ａを撮影レンズ部２７Ａを中心にして回動可能にしたので、表示部１５Ａが閃光発光部２９Ａにより隠されることを確実に回避することができる。
（第４の実施形態）
図９は、本発明の撮像装置の第４の実施形態を示している。
【００２２】
この実施形態では、本発明が携帯電話に適用される。
この携帯電話では、本体部１１Ｂに撮影レンズ部２７Ｂが配置され、また、本体部１１Ｂに表示部１５Ｂが回動可能に配置されている。
撮影レンズ部２７Ｂには、閃光発光部２９Ｂが回動可能に配置されている。すなわち、撮影レンズ部２７Ｂのレンズ３１側は、円筒状に形成され、この円筒部が閃光発光部２９Ｂの取付部４７Ｂに挿入されている。そして、閃光発光部２９Ｂは、円筒部の外周に沿って回動可能に支持されている。
【００２３】
この閃光発光部２９Ｂは、本体部１１Ｂに形成される収容部４３Ｂに収容可能とされている。本体部１１Ｂの内側面には、多数のボタン５７が配置されている。そして、収容部４３Ｂは、本体部１１Ｂの内側の撮影レンズ部２７Ｂの下側に形成されている。
表示部１５Ｂは、本体部１１Ｂに回動可能に配置されている。すなわち、表示部１５Ｂは、撮影レンズ部２７Ｂの近傍に配置される回動部５９を介して矢符Ｃ方向に回動可能とされている。また、回動部５９に立設される支持軸４１Ｂを中心にして矢符Ｄ方向に回動可能とされている。そして、図９に示す状態では、表示部１５Ｂの表示面１５ｂが撮影レンズ部２７Ｂのレンズ３１と反対側を向いて位置されている。
【００２４】
この携帯電話では、通常の撮影時には、撮影レンズ部２７Ｂを中心にして閃光発光部２９Ｂを横側に回動し、撮影レンズ部２７Ｂのレンズ３１側を、人物，風景等の被写体に向け、表示部１５Ｂの表示面１５ｂに表示される画像を見ながら撮影が行われる。
一方、撮影者自身を撮影する時には、図１０に示すように、撮影レンズ部２７Ｂを中心にして閃光発光部２９Ｂを横側に回動し、表示部１５Ｂを支持軸４１Ｂを中心にして回動し、撮影レンズ部２７Ｂのレンズ３１側を、撮影者に向け、表示部１５Ｂの表示面１５ｂに表示される画像を見ながら撮影が行われる。
【００２５】
そして、この時には、閃光発光部２９Ｂが撮影レンズ部２７Ｂの表示部１５Ｂと反対側に位置するため、表示部１５Ｂが閃光発光部２９Ｂにより隠されることはない。
上述した携帯電話では、本体部１１Ｂに閃光発光部２９Ｂを収容する収容部４３Ｂを形成したので、閃光発光部２９Ｂをコンパクトに収容することができる。
また、上述した携帯電話では、閃光発光部２９Ｂを撮影レンズ部２７Ｂを中心にして回動可能にしたので、図１１に示すように表示部１５Ｂの表示面１５ｂが閃光発光部２９Ｂにより隠されることを確実に回避することができる。
【図面の簡単な説明】
【００２６】
【図１】本発明の撮像装置の第１の実施形態を示す正面図である。
【図２】図１の撮影部本体を回動した状態を示す斜視図である。
【図３】図２の状態を示す正面図である。
【図４】本発明の撮像装置の第２の実施形態を示す斜視図である。
【図５】図４の状態を示す上面図である。
【図６】本発明の撮像装置の第３の実施形態を示す斜視図である。
【図７】図６の閃光発光部および表示部を回動した状態を示す斜視図である。
【図８】図７の状態から表示部を回動した状態を示す斜視図である。
【図９】本発明の撮像装置の第４の実施形態を示す斜視図である。
【図１０】図９の閃光発光部および表示部を回動した状態を示す斜視図である。
【図１１】閃光発光部が表示部を隠している状態を示す正面図である。
【符号の説明】
【００２７】
１１，１１Ａ，１１Ｂ  本体部
１３  撮影部本体
１５，１５Ａ，１５Ｂ  表示部
２７，２７Ａ，２７Ｂ  撮影レンズ部
２９，２９Ａ，２９Ｂ  閃光発光部
３５  撮影光学系
４３，４３Ａ，４３Ｂ  収容部
５９  回動部
【図１】
2005086259.tif 000003
【図２】
2005086259.tif 000004
【図３】
2005086259.tif 000005
【図４】
2005086259.tif 000006
【図５】
2005086259.tif 000007
【図６】
2005086259.tif 000008
【図７】
2005086259.tif 000009
【図８】
2005086259.tif 000010
【図９】
2005086259.tif 000011
【図１０】
2005086259.tif 000012
【図１１】
2005086259.tif 000013